(57)【特許請求の範囲】
【請求項１】
外部からの切り替え操作によって第一モードと第二モードとの間で可動部材の姿勢が変化するのに応じて、出力端子の状態を切り替え可能なスイッチと、
前記出力端子が設けられている面に装着可能なカバー部材と、
筐体カバーと、
を備え、
前記カバー部材は、
前記面に設けられた状態において、前記可動部材の姿勢が前記第一モードであるときには、前記出力端子を覆う第一の状態にあり、
前記面に設けられた状態において、前記可動部材の姿勢が前記第二モードであるときには、前記出力端子が露出する第二の状態にあることが可能であり、
前記第一の状態にあるときの位置から前記第二の状態にあるときの位置に移動する過程、或いは、前記面から取り外される過程において、前記可動部材と接触したのち前記可動部材を押圧することによって、前記可動部材の姿勢を、前記出力端子への通電状態である前記第一モードから、非通電状態である前記第二モードに変化させる第一の接触部位を含み、
前記筐体カバーは、前記面と異なる面に位置し、前記カバー部材が前記第一の状態にあるときは、前記筐体カバーの一部分である第二の接触部位が、前記カバー部材の一部分である第三の接触部位と接触することにより移動不能であり、前記カバー部材が前記第二の状態にあるときは、前記第二の接触部位が前記第三の接触部位と接触せずに移動可能である、
感電保護構造。
【請求項２】
前記スイッチにおいて、前記可動部材は回転軸を中心に回転する回転部を含み、前記回転部が回転することによって、前記第一モード及び前記第二モードを切り換え、
前記カバー部材は、前記可動部材と接触したことに応じて前記回転部を回転させる、
請求項１に記載の感電保護構造。
【請求項３】
前記第一の接触部位は、前記カバー部材が前記第一の状態にあるときの位置から前記第二の状態にあるときの位置に移動する方向、或いは、前記カバー部材が前記面から取り外される方向と垂直又は略垂直に形成される、
請求項１または２に記載の感電保護構造。
【請求項４】
前記面において、前記カバー部材が前記第一の状態にあるときの位置から前記第二の状態にあるときの位置に移動する際の軌跡を規制するガイドをさらに備え、
前記カバー部材は、前記ガイドに沿って、前記第一の状態にあるときの位置から前記第二の状態にあるときの位置に移動する、
請求項１乃至３のいずれかに記載の感電保護構造。
【請求項５】
前記ガイドは、前記面に開けられた線状の開口であり、
前記カバー部材は、前記ガイドに差し込む部位を含む、
請求項４に記載の感電保護構造。
【請求項６】
前記第二及び第三の接触部位は、前記カバー部材が前記第一の状態にあるときの位置から前記第二の状態にあるときの位置に移動する方向と平行又は略平行であり、かつ、前記筐体カバーが移動する方向と垂直又は略垂直に形成され、
前記第三の接触部位は、前記カバー部材が前記第一の状態にあるときは、前記筐体カバーが移動するのに伴い前記第二の接触部位が移動する方向と交わる位置にある、
請求項１乃至５のいずれかに記載の感電保護構造。
【請求項７】
前記カバー部材は、
前記カバー部材が前記第一の状態にあるときには、前記第二の接触部位と対向する位置にあり、
前記カバー部材が前記第二の状態にあるときには、前記第二の接触部位と対向しない位置に移動可能な接触部位を有する
請求項１乃至６のいずれかに記載の感電保護構造。
【請求項８】
請求項１乃至７のいずれかに記載の感電保護構造を備える、
電気機器筐体。
【請求項９】
出力端子の状態を外部からの切り替え操作によって第一モードと第二モードとの間で切り替え可能なスイッチが有する可動部材の姿勢が前記第一モードであるときには、前記出力端子が設けられている面に設けられた状態において、前記出力端子を覆う第一の状態にあり、
前記面に設けられた状態において、前記可動部材の姿勢が前記第二モードであるときには、前記出力端子が露出する第二の状態にあることが可能であり、
前記第一の状態にあるときの位置から前記第二の状態にあるときの位置に移動する過程、或いは、前記面から取り外される過程において、前記可動部材と接触したのち前記可動部材を押圧することによって、前記可動部材の姿勢を、前記出力端子への通電状態である前記第一モードから、非通電状態である前記第二モードに変化させる第一の接触部位を含む形状をなすカバー部材を、前記面に設け、
前記カバー部材が前記第一の状態にあるときは、前記カバー部材の一部分である第三の接触部位と接触することにより移動不能であり、前記カバー部材が前記第二の状態にあるときは、前記第三の接触部位と接触せずに移動可能にする第二の接触部位を有する筐体カバーを、前記面と異なる面に設ける、
感電保護方法。
【発明の詳細な説明】
【技術分野】
【０００１】
本願発明は、操作者の感電を防止する構造物の技術分野に関する。
【背景技術】
【０００２】
蓄電装置等の電源装置は、電源供給時に人（技術者）が電源端子に触れることにより感電することを防止するため、電源端子を覆い被せる感電防止用のプロテクトカバーを備えている。そして、例えば、電源端子へのケーブル接続工事等の電源工事を行う作業員は、電源装置の電源をオフにしたのち、係るプロテクトカバーを取り外してから電源工事を行う。この状況において、作業員が電源をオフし忘れると、誤って電源端子に触れることにより、感電事故が発生する虞がある。したがって、作業員が電源工事を行う際に、感電事故が発生しないように安全性を確保する技術が求められている。
【０００３】
このような技術の一例として、特許文献１には、断路器をオフとした状態（非通電状態）でのみ、電気部品を覆い被せるカバー部材を、係る電気部品を着脱することができる位置に移動させることができるようにしたインターロック構造が開示されている。
【０００４】
また、特許文献２には、配電盤に収容された引出型遮断機等の開閉機器の断路部を覆うシャッター装置であって、開閉機器を引出位置から接続位置に移動させる動作に連動に連動して、シャッター版が開閉するように構成した装置が開示されている。この装置は、開閉機器を挿入する動作によりシャッター版を開放し、開閉機器を引出する動作によりシャッター版を閉鎖する。
【０００５】
さらに、特許文献３には、工具を要することなく容易な操作で迅速に電池を交換でき、２種の電池の何れか一方ずつしか脱着できないようにするとともに、脱着操作により交換しない側の電池から自動的にメモリに電源供給できるようにした装置が開示されている。
【先行技術文献】
【特許文献】
【０００６】
【特許文献１】特開2013-208004号公報
【特許文献２】特開2012-120286号公報
【特許文献３】実開平05-006683号公報
【発明の概要】
【発明が解決しようとする課題】
【０００７】
電源ケーブル接続工事、あるいは、電気部品の交換工事等を行う際に、安全を確保することは最優先の課題である。したがって、感電事故が発生しないように安全性を確保することを、簡素な構造により実現することは、コスト低減を実現するためにも重要である。
【０００８】
特許文献１が開示した構造は、断路器をオフとした状態でのみ、操作者がプロテクトカバーを移動できるように制御する。特許文献２が開示した装置は、開閉機器を移動させる動作に連動して、シャッター版の開閉を制御する。したがって、特許文献１乃至２が開示した技術は、感電事故が発生しないように安全性を確保することを簡素な構造により実現するという課題を解決するには、不十分である。また、特許文献３も、この課題を解決する技術については特に言及していない。
【０００９】
本願発明の主たる目的は、この課題を解決した、感電保護構造及び方法を提供することである。
【課題を解決するための手段】
【００１０】
本願発明の一態様に係る感電保護構造は、外部からの切り替え操作によって第一モードと第二モードとの間で可動部材の姿勢が変化するのに応じて、出力端子の状態を切り替え可能なスイッチと、前記出力端子が設けられている面に装着可能なカバー部材と、を備え、
前記カバー部材は、前記面に設けられた状態において、前記可動部材の姿勢が前記第一モードであるときには、前記出力端子を覆う第一の状態にあり、前記面に設けられた状態において、前記可動部材の姿勢が前記第二モードであるときには、前記出力端子が露出する第二の状態にあることが可能であり、前記第一の状態から前記第二の状態に遷移する過程、或いは、前記面から取り外される過程において、前記可動部材を押圧することにより、前記可動部材の姿勢を、前記出力端子への通電状態である前記第一モードから、非通電状態である前記第二モードに変化させる形状をなす。
【００１１】
上記目的を達成する他の見地において、本願発明の一態様に係る感電保護方法は、出力端子の状態を外部からの切り替え操作によって第一モードと第二モードとの間で切り替え可能なスイッチが有する可動部材の姿勢が前記第一モードであるときには、前記出力端子が設けられている面に設けられた状態において、前記出力端子を覆う第一の状態にあり、
前記面に設けられた状態において、前記可動部材の姿勢が前記第二モードであるときには、前記出力端子が露出する第二の状態にあることが可能であり、前記第一の状態から前記第二の状態に遷移する過程、或いは、前記面から取り外される過程において、前記可動部材を押圧することにより、前記可動部材の姿勢を、前記出力端子への通電状態である前記第一モードから、非通電状態である前記第二モードに変化させる形状をなすカバー部材を、前記面に設ける。
【発明の効果】
【００１２】
本願発明は、通電状態にある出力端子に触れることによる感電を防止することを、簡素な構造により実現することを可能とする。
【図面の簡単な説明】
【００１３】
【図１】本願発明の第１の実施形態に係る電源装置の斜視図（プロテクトカバー装着時）である。
【図２】本願発明の第１の実施形態に係る電源装置のフロントパネルの斜視図（プロテクトカバー離脱時）である。
【図３】本願発明の第１の実施形態に係る電源装置のＡ−Ａ線断面図である。
【図４】本願発明の第２の実施形態に係る電源装置の斜視図（プロテクトカバー装着時）である。
【図５Ａ】本願発明の第２の実施形態に係る電源装置のフロントパネルの斜視図（プロテクトカバー離脱時）（１／２）である。
【図５Ｂ】本願発明の第２の実施形態に係る電源装置のフロントパネルの斜視図（プロテクトカバー離脱時）（２／２）である
【図６】本願発明の第２の実施形態に係る電源装置のフロントパネルの正面図（プロテクトカバー離脱時）である。
【図７】本願発明の第２の実施形態に係るプロテクトカバーの斜視図である。
【図８】本願発明の第２の実施形態に係る電源装置のＢ−Ｂ線断面図である。
【図９】本願発明の第２の実施形態に係る電源装置のＣ−Ｃ線断面図である。
【図１０】本願発明の第３の実施形態に係る感電保護構造を示すＸＹ平面断面図である。
【発明を実施するための形態】
【００１４】
以下、本願発明の実施の形態について図面を参照して詳細に説明する。尚、以下の説明においては、説明の便宜上、図面中に３次元（Ｘ−Ｙ−Ｚ）座標を適宜示して説明するとことする。以下に説明する各実施形態では、Ｘ軸方向及びＹ軸方向が水平方向であり、Ｚ軸方向が垂直方向である。
【００１５】
＜第１の実施形態＞
図１は、第１の実施形態に係る電源装置１にプロテクトカバー１０が装着された場合における、電源装置１に関する斜視図である。図２は、本実施形態に係る電源装置１からプロテクトカバー１０が離脱した場合における、電源装置１に関する斜視図である。
【００１６】
電源装置１は、電源端子２２及び２３に接続された電源ケーブル２４及び２５を介して、他の電気機器に電源を供給する。本実施形態において、電源端子２２はマイナス極であり、電源端子２３はプラス極である。電源端子２２及び２３は、プラスティック等の樹脂製の端子台２２０及び２３０によって、フロントパネル２０及び筐体カバー３０と絶縁されている。これらの端子台は、絶縁可能であれば材質は何ら限定されない。
【００１７】
電源装置１が電源供給中は、感電防止のため、プロテクトカバー１０が、フロントパネル２０及び筐体カバー３０に、図１に示す通り、例えばネジ（不図示）などによって装着されている。作業員は、例えば電源ケーブル接続工事を行う場合、電源スイッチ２１をオフにして電源端子２２及び２３からの電源供給が停止したのち、プロテクトカバー１０を外す必要がある。尚、電源スイッチ２１は、Ｚ軸においてプラス方向側にあるときがオンの状態であり、マイナス方向側にあるときがオフの状態である。
【００１８】
図１におけるＡ−Ａ線における電源装置１の断面図を図３に示す。図３に示す断面図は、ＸＺ平面に平行な断面図である。プロテクトカバー１０は、電源装置１に装着されている場合、例えばネジ止めなどによって、プロテクトカバー１０の一部位であるＬ字曲げ部１０Ｂが、フロントパネル２０に開けられた開口２６に挿入された状態を保って固定されている。
【００１９】
本実施形態において、プロテクトカバー１０がフロントパネル２０から離脱される方向は、図３に示す通り、Ｘ軸のマイナス方向と平行又は略平行な方向である。プロテクトカバー１０は、離脱される際、一部位である接触部１０Ａが電源スイッチ２１と接触したのち、離脱方向に電源スイッチ２１を押圧する。接触部１０Ａによって押圧された電源スイッチ２１は、電源スイッチ回転軸２１０を中心に回転して、Ｚ軸のマイナス方向と平行又は略平行に移動する。これにより電源スイッチ２１がオフの状態となり、電源装置１は電源供給を停止する。
【００２０】
本実施形態に係る電源装置１は、通電状態にある電源端子に触れることによる感電を防止することを、簡素な構造により実現することができる。その理由は、プロテクトカバー１０がフロントパネル２０から外される際、プロテクトカバー１０は、電源スイッチ２１と接触したのち電源スイッチ２１を押圧することにより、電源スイッチ２１をオンからオフの状態に切り替えるからである。
【００２１】
作業員が電源装置における給電箇所に直接触れる電源工事を行う際、電源を切り忘れることによる感電事故が発生する可能性がある。本実施形態に係る電源装置１では、プロテクトカバー１０を離脱する過程において、プロテクトカバー１０が電源スイッチ２１を押圧することによって電源スイッチ２１をオフの状態とする。したがって、電源装置１は係る感電事故が発生することを防止できる。そして、係る感電事故を防止するために電源装置１が備える構造は簡素である。
【００２２】
尚、本実施形態が示したプロテクトカバー１０の形状、及び、その離脱方向は一例にすぎない。プロテクトカバー１０は、本実施形態が示した形状とは異なる形状を備えてもよい。そして、プロテクトカバー１０は、離脱される過程において、電源スイッチ２１を押圧して電源スイッチ２１をオフの状態にすることができるのであれば、Ｘ軸のマイナス方向と平行又は略平行な方向とは異なる方向に離脱されてもよい。
【００２３】
また、本願各実施形態を例に説明する本発明において、電源スイッチの形状は、本実施形態に係る電源スイッチ２１のような回転式の可動部材（つまみ）を有するスイッチには限定されない。電源スイッチ２１は、可動部材を含み、係る可動部材の位置によって、電源（電源ライン）のオンとオフとを切り換える構造を備えればよい。このような電源スイッチとしては、例えば、ディップスイッチのようなスライド式、あるいは、シーソー式、あるいは、ボタン式などの様々な種類のスイッチを採用可能である。この場合、プロテクトカバーは、外される過程において、係る可動部材に接触したのちその可動部材を押圧することによって、電源スイッチをオンからオフに切り替える。
【００２４】
尚、本実施形態が示す感電保護構造を備える装置は、電源装置に限定されない。本実施形態が示す感電保護構造は、例えばヒューズ等の電気部品を備え、当該電気部品を交換する際に、当該電気部品へ給電する出力端子が露出する構造を備える様々な電気機器に適用可能である。
【００２５】
＜第２の実施形態＞
図４は、第２の実施形態に係る電源装置２にプロテクトカバー４０が装着された場合における、電源装置２に関する斜視図である。図５Ａ及び５Ｂは、本実施形態に係る電源装置２からプロテクトカバー４０が離脱された場合における、電源装置２のフロントパネル５０に関する斜視図である。図６は、本実施形態に係る電源装置２からプロテクトカバー４０が離脱された場合における、電源装置２のフロントパネル５０に関する正面図である。
【００２６】
電源端子５２及び５３は、第１の実施形態に係る電源端子２２及び２３と同様である。端子台５２０及び５３０は、第１の実施形態に係る端子台２２０及び２３０と同様である。尚、端子台５２０は、ネジ５２１及び５２２によってフロントパネル５０に固定され、端子台５３０は、ネジ５３１及び５３２によってフロントパネル５０に固定されている。電源ケーブル５４及び５５は、第１の実施形態に係る電源ケーブル２４及び２５と同様である。電源スイッチ５１は、第１の実施形態に係る電源スイッチ２１と同様である。
【００２７】
本実施形態に係るプロテクトカバー４０の斜視図を図７に示す。プロテクトカバー４０は、図７に示す通り、ガイド差し込み部４１及び４２、Ｌ字曲げ部４３、及び、Ｌ字曲げ部４４を有する。ガイド差し込み部４１及び４２は、爪型の形状をなし、図５Ａ及び５Ｂ、及び、図６に示すガイド穴５６及び５７に挿入される。ガイド穴５６及び５７は、フロントパネル５０に、Ｚ軸と平行又は略平行に線状（スリット状）に開けられた開口である。ガイド差し込み部４１及び４２がガイド穴５６及び５７に挿入された状態を図９に示す。尚、図９は、図４におけるＣ−Ｃ線における電源装置２の断面図であり、ＸＺ平面に平行な断面図である。
【００２８】
プロテクトカバー４０は、ガイド差し込み部４１及び４２がガイド穴５６及び５７に挿入された状態を維持したまま、フロントパネル５０から外れずに、フロントパネル５０の表面をＺ軸と平行又は略平行にスライドすることができる。ガイド差し込み部４１及び４２、及び、ガイド穴５６及び５７は、ガイド差し込み部４１乃至４２がガイド穴５６及び５７におけるＺ軸のマイナス方向側の端部に到達すると、ガイド差し込み部４１及び４２をガイド穴５６及び５７から外すことができる構造を備えている。これにより、作業員は、プロテクトカバー４０を、フロントパネル５０から外すことができる。
【００２９】
図４に示すＢ−Ｂ線における電源装置２の断面図を図８に示す。図８に示す断面図は、ＸＺ平面に平行な断面図である。プロテクトカバー４０は、電源装置２に装着されている場合、Ｌ字曲げ部４４がフロントパネル５０に開けられた開口５８に挿入された状態を保って固定されている。尚、開口５８の大きさは、プロテクトカバー４０がスライドするのに伴って、挿入された状態のＬ字曲げ部４４がＺ軸と平行又は略平行に移動するスペースを確保可能な大きさである。
【００３０】
本実施形態において、作業員は、プロテクトカバー４０を外す場合、図８に示す通り、Ｚ軸のマイナス方向と平行又は略平行に、プロテクトカバー４０をスライドさせる。プロテクトカバー４０がＺ軸のマイナス方向と平行又は略平行に移動する際、Ｌ字曲げ部４３が包含する接触部４３Ａは、スイッチ５１と接触したのち、スイッチ５１を移動方向に押圧する。尚、接触部４３Ａは、Ｚ軸と垂直又は略垂直に形成されている。
【００３１】
接触部４３Ａによって押圧されたスイッチ５１は、電源スイッチ回転軸５１０を中心に回転して、Ｚ軸のマイナス方向と平行又は略平行に移動する。これにより電源スイッチ５１がオフの状態となり、電源装置２は電源供給を停止する。プロテクトカバー４０は、Ｚ軸のマイナス方向と平行又は略平行に移動可能な限界の位置に到達したのち、フロントパネル５０から離脱可能である。
【００３２】
図８及び図９に示す通り、筐体カバー６０は、Ｌ字曲げ部６０Ａを包含している。Ｌ字曲げ部６０Ａは、Ｘ軸と垂直又は略垂直であり、かつ、Ｚ軸と平行又は略平行に形成されている。プロテクトカバー４０におけるＬ字曲げ部４４は、接触部４４Ａを包含している。接触部４４Ａは、Ｌ字曲げ部６０Ａと同様に、Ｘ軸と垂直又は略垂直であり、かつ、Ｚ軸と平行又は略平行に形成されている。
【００３３】
筐体カバー６０は、作業員が電源装置２の筐体内部にアクセスする際に、Ｘ軸のプラス方向と平行又は略平行にスライド可能な構造を備えている。図８及び図９に示す通り、プロテクトカバー４０がフロントパネル５０に装着されている場合、接触部４４Ａは、筐体カバー６０が＋Ｘ方向にスライドするのに伴いＬ字曲げ部６０Ａが移動する方向が示す、Ｘ軸と平行又は略平行な軸と交わる位置にある。したがってこの場合、Ｌ字曲げ部６０Ａが接触部４４Ａと接触することにより、筐体カバー６０をそれ以上＋Ｘ方向にスライドさせることはできない。
【００３４】
更に上記の状態において、作業者がプロテクトカバー４０をフロントパネル５０から取り外そうとして、−Ｘ方向に力を加えたとする。この場合、Ｌ字曲げ部６０Ａと接触部４４Ａとが接触（当接）する。そして、ガイド差し込み部４１の端部と、ガイド穴５６がなすスリット状の開口の上部とが接触し（図８）、ガイド差し込み部４２とガイド穴５７がなすスリット状の開口の上部とが接触する（図９）。即ち、プロテクトカバー４０をフロントパネル５０から取り外そうとしても、プロテクトカバー４０は、フロントパネル５０及び筐体カバー６０側の上述した構造によって干渉するので、作業者は、プロテクトカバー４０を外すことができない。
【００３５】
プロテクトカバー４０は、電源装置２が通電状態である場合に、ネジ止め、あるいは、ストッパー等の機構品（不図示）により、図８及び図９に示す状態で、フロントパネル５０に固定された状態において装着されている。プロテクトカバー４０をフロントパネル５０に固定させておく構造に関しては、一般的な技術を採用可能であるため、本実施形態における説明と図示とを省略することとする。
【００３６】
プロテクトカバー４０をフロントパネル５０から離脱するためにプロテクトカバー４０がＺ軸のマイナス方向に平行又は略平行にスライドした場合、接触部４４ＡもＺ軸のマイナス方向に平行又は略平行に移動する。これにより、Ｌ字曲げ部６０Ａが接触部４４Ａと接触しなくなるため、筐体カバー６０をＸ軸のプラス方向と略平行にスライドさせることが可能となる。また、これにより、プロテクトカバー４０を−Ｘ方向に外すことも可能となる。
【００３７】
本実施形態に係る電源装置２は、通電状態にある電源端子に触れることによる感電を防止することを、簡素な構造により実現することができる。その理由は、プロテクトカバー４０が離脱される際、プロテクトカバー４０は、電源スイッチ５１と接触したのち電源スイッチ５１を押圧することにより、電源スイッチ５１をオンからオフの状態に切り替えるからである。
【００３８】
本実施形態に係るプロテクトカバー４０は、ガイド穴５６及び５７に沿ってフロントパネル５０の表面をスライドしたのち離脱可能となる。そして、プロテクトカバー４０がスライドする過程において、接触部４３Ａが電源スイッチ５１に接触したのち電源スイッチ５１を押圧することによって、電源スイッチ５１をオンからオフの状態に切り替える。これにより、本実施形態に係る電源装置２は、第１の実施形態に係る電源装置１と比較して、さらに確実に、電源スイッチ５１をオンからオフに切り替える。したがって、本実施形態に係る電源装置２は、第１の実施形態に係る電源装置１よりも、感電防止に関する安全性をさらに高めることができる。
【００３９】
また、本実施形態に係る接触部４３Ａは、プロテクトカバー４０が移動する方向であるＺ軸と垂直又は略垂直に形成されている。これにより、本実施形態に係る接触部４３Ａは、より確実に電源スイッチ５１を押圧することによって、電源スイッチ５１をオンからオフに切り替えることができる。プロテクトカバー４０は、プラスティックなどによる形成品でもよい。
【００４０】
尚、本実施形態に係る電源装置２では、ガイド差し込み部４１及び４２、及び、ガイド穴５６及び５７によって、プロテクトカバー４０が移動する軌跡を決定しているが、これは一例にすぎない。例えば、フロントパネル５０がガイドレールを備え、プロテクトカバー４０が、係るガイドレールに沿って移動する機構を備えてもよい。
【００４１】
さらに、本実施形態に係る電源装置２では、プロテクトカバー４０が電源端子５２及び５３を覆う状態（図８、図９）において、接触部４４ＡとＬ字曲げ部６０Ａとが近接し、作業員が筐体カバー６０をスライドさせようとしても、これらの部材が接触することにより干渉する。これにより、本実施形態に係る電源装置２は、通電中に作業員が筐体カバー６０をスライドさせて電源装置２の筐体内部にアクセスすることにより感電することを防止する。したがって、電源装置２は、感電防止に対する安全性を、簡素な構造により高めることができる。
【００４２】
また、本実施形態に係る接触部４４Ａ、及び、Ｌ字曲げ部６０Ａは、プロテクトカバー４０が移動する方向であるＺ軸と平行又は略平行であり、かつ、筐体カバー６０が移動する方向であるＸ軸と垂直又は略垂直に形成されている。これにより、本実施形態に係る電源装置２は、通電中は筐体カバー６０がスライドできないように、接触部４４Ａ及びＬ字曲げ部６０Ａを干渉させ、非通電中は係る干渉を解除することを確実に行うことができる。
【００４３】
＜第３の実施形態＞
図１０は、第３の実施形態の感電保護構造３を示すＸＹ平面断面図である。
【００４４】
本実施形態に係る感電保護構造３は、スイッチ８０、及び、カバー部材７０を備えている。
【００４５】
スイッチ８０は、外部からの切り替え操作によって第１モード８０Ａと第２モード８０Ｂとの間で可動部材の姿勢が変化するのに応じて、出力端子８１の状態を切り替え可能である。
【００４６】
カバー部材７０は、出力端子８１が設けられている面８２に装着可能である。カバー部材７０は、面８２に設けられた状態において、可動部材の姿勢が第１モード８０Ａであるときには、出力端子８１を覆う第１の状態７０Ａにある。カバー部材７０は、面８２に設けられた状態において、可動部材の姿勢が第２モード８０Ｂであるときには、出力端子８１が露出する第２の状態７０Ｂにあることが可能である。
【００４７】
カバー部材７０は、第１の状態７０Ａから第２の状態７０Ｂに遷移する過程、或いは、面８２から取り外される過程において、可動部材を押圧することにより、可動部材の姿勢を、出力端子８１への通電状態（電源オン）である第１モード８０Ａから、非通電状態（電源オフ）である第２モード８０Ｂに変化させる形状をなしている。
【００４８】
本実施形態に係る感電保護構造３は、通電状態にある出力端子に触れることによる感電を防止することを、簡素な構造により実現することができる。その理由は、出力端子８１が露出するようにカバー部材７０が遷移する際、カバー部材７０は、スイッチ８０と接触したのちスイッチ８０を押圧することにより、スイッチ８０をオンからオフの状態に切り替えるからである。
【００４９】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【符号の説明】
【００５０】
１    電源装置
１０    プロテクトカバー
１０Ａ    接触部
１０Ｂ    Ｌ字曲げ部
２０    フロントパネル
２１    電源スイッチ
２１０    電源スイッチ回転軸
２２及び２３    電源端子
２２０及び２３０    端子台
２４及び２５    電源ケーブル
２６    開口
３０    筐体カバー
２    電源装置
４０    プロテクトカバー
４１及び４２    ガイド差し込み部
４３    Ｌ字曲げ部
４３Ａ    接触部
４４    Ｌ字曲げ部
４４Ａ    接触部
５０    フロントパネル
５１    電源スイッチ
５１０    電源スイッチ回転軸
５２及び５３    電源端子
５２０及び５３０    端子台
５２１及び５２２    ネジ
５３１及び５３２    ネジ
５４及び５５    電源ケーブル
５６及び５７    ガイド穴
５８    開口
６０    筐体カバー
６０Ａ    Ｌ字曲げ部
３    感電保護構造
７０    カバー部材
７０Ａ    第１の状態
７０Ｂ    第２の状態
８０    スイッチ
８０Ａ    第１モード
８０Ｂ    第２モード
８１    出力端子
８２    面
【要約】
【課題】通電状態にある出力端子に触れることによる感電を防止することを、簡素な構造により実現する。
【解決手段】感電保護構造３は、第１モード８０Ａと第２モード８０Ｂとの間で可動部材の姿勢が変化するのに応じて、出力端子８１の状態を切り替え可能なスイッチ８０と、出力端子８１が設けられている面８２に装着可能なカバー部材７０とを備え、カバー部材７０は、第１モードのときには、出力端子８１を覆う第１の状態７０Ａにあり、第２モードのときには、出力端子８１が露出する第２の状態７０Ｂにあることが可能であり、第１の状態から第２の状態に遷移する過程、或いは、面８２から取り外される過程において、可動部材を押圧することにより、可動部材の姿勢を、出力端子８１への通電状態である第１モードから、非通電状態である第２モードに変化させる形状をなす。
【選択図】      図１０【図１】
0005852201.tif 000002
【図２】
0005852201.tif 000003
【図３】
0005852201.tif 000004
【図４】
0005852201.tif 000005
【図５Ａ】
0005852201.tif 000006
【図５Ｂ】
0005852201.tif 000007
【図６】
0005852201.tif 000008
【図７】
0005852201.tif 000009
【図８】
0005852201.tif 000010
【図９】
0005852201.tif 000011
【図１０】
0005852201.tif 000012